(57)【特許請求の範囲】
【請求項１】
コンピュータ及び携帯端末を用いて、作業場所から排出される廃棄物を集積所に搬送するためのものであり、前記廃棄物の排出者の間で使い回される容器を管理する方法であって、
前記コンピュータが、前記排出者ごとに発行される看板に固有の看板番号、排出者名、廃棄物品目、回収場所及び次回設置場所を含む看板属性情報を取得し、記憶するステップと、
前記コンピュータが、前記看板として使われる用紙に看板番号、排出者名及び廃棄物品目を含む情報を印刷するステップと、
前記コンピュータが、前記看板番号と、前記看板に取り付けられたＩＣタグに固有のタグＩＤとの対応付けを示す看板タグ対応情報を取得し、記憶するステップと、
前記携帯端末が、前記コンピュータから前記看板タグ対応情報及び前記看板属性情報を取得し、記憶するステップと、
前記携帯端末が、空の容器に取り付けられた看板のＩＣタグからタグＩＤを取得し、前記看板タグ対応情報を参照して当該タグＩＤに対応する看板番号を特定し、当該看板番号を含む前記看板属性情報のうち、回収場所を表示するステップと、
前記携帯端末が、前記集積所に搬送された容器に取り付けられた看板のＩＣタグからタグＩＤを取得し、前記看板タグ対応情報を参照して当該タグＩＤに対応する看板番号を特定し、当該看板番号を含む前記看板属性情報を読み出し、前記廃棄物の分量を取得し、当該看板属性情報に当該分量を追加し、回収実績情報として記憶するステップと、
前記コンピュータが、前記携帯端末から前記回収実績情報を取得し、記憶するステップと、
前記携帯端末が、前記集積所において、廃棄物の入った容器から空の容器に付け替えられた、又は、廃棄物が排出されて空になった容器に元々取り付けられている前記看板のＩＣタグからタグＩＤを取得し、前記看板タグ対応情報を参照して当該タグＩＤに対応する看板番号を特定し、当該看板番号を含む前記看板属性情報のうち、次回設置場所を表示するステップと、
を実行することを特徴とする廃棄物容器管理方法。
【請求項２】
請求項１に記載の廃棄物容器管理方法であって、
前記携帯端末が、前記回収場所において、実際の排出者名及び廃棄物品目が前記看板に印刷された情報と異なる場合に、実際の排出者名、廃棄物品目、回収場所及び次回設置場所を含む例外情報を取得し、前記看板の前記ＩＣタグに送信するステップと、
前記ＩＣタグが、前記携帯端末から前記例外情報を受信し、記憶するステップと、
前記携帯端末が、前記集積所において、前記ＩＣタグに前記例外情報が含まれている場合に、前記ＩＣタグから当該例外情報を取得し、回収実績情報として記憶するステップと、
をさらに実行することを特徴とする廃棄物容器管理方法。
【請求項３】
請求項２に記載の廃棄物容器管理方法であって、
前記携帯端末が、前記回収場所において回収場所を取得する場合には、当該回収場所に設置されている回収場所識別タグからＩＤを読み取り、当該ＩＤに基づいて当該回収場所の識別情報を特定する
ことを特徴とする廃棄物容器管理方法。
【請求項４】
コンピュータ及び携帯端末を用いて、作業場所から排出される廃棄物を集積所に搬送するためのものであり、前記廃棄物の排出者の間で使い回される容器を管理する方法であって、
前記コンピュータが、前記排出者ごとに発行される看板に固有の看板番号、排出者名、廃棄物品目、回収場所及び次回設置場所を含む看板属性情報を取得し、記憶するステップと、
前記コンピュータが、前記看板として使われる用紙に看板番号、排出者名及び廃棄物品目を含む情報を印刷するステップと、
前記コンピュータが、前記看板番号と、前記看板に取り付けられたＩＣタグに固有のタグＩＤとの対応付けを示す看板タグ対応情報を取得し、記憶するステップと、
前記携帯端末が、前記コンピュータから前記看板タグ対応情報及び前記看板属性情報を取得し、記憶するステップと、
前記携帯端末が、空の容器に取り付けられた看板のＩＣタグからタグＩＤを取得し、前記看板タグ対応情報を参照して当該タグＩＤに対応する看板番号を特定し、当該看板番号を含む前記看板属性情報のうち、回収場所を表示するステップと、
前記携帯端末が、前記回収場所において、廃棄物の入った容器に取り付けられた看板のＩＣタグからタグＩＤを取得し、前記看板タグ対応情報を参照して当該タグＩＤに対応する看板番号を特定し、当該看板番号を含む前記看板属性情報を特定し、前記廃棄物の分量を取得し、当該看板属性情報に当該分量を追加して、前記容器に取り付けられたＩＣタグに送信するステップと、
前記容器のＩＣタグが、前記携帯端末から前記看板属性情報を受信し、記憶するステップと、
前記携帯端末が、前記集積所に搬送された前記容器のＩＣタグから前記看板属性情報を取得し、回収実績情報として記憶するステップと、
前記コンピュータが、前記携帯端末から前記回収実績情報を取得し、記憶するステップと、
を実行することを特徴とする廃棄物容器管理方法。
【請求項５】
請求項４に記載の廃棄物容器管理方法であって、
前記携帯端末は、前記集積所に搬送された前記容器のＩＣタグから前記看板属性情報を取得した後、当該ＩＣタグに記憶されている当該看板属性情報を消去する
ことを特徴とする廃棄物容器管理方法。
【請求項６】
作業場所から排出される廃棄物を集積所に搬送するためのものであり、前記廃棄物の排出者の間で使い回される容器を管理するシステムであって、
コンピュータ及び携帯端末を備え、
前記コンピュータが、
前記排出者ごとに発行される看板に固有の看板番号、排出者名、廃棄物品目、回収場所及び次回設置場所を含む看板属性情報を取得し、記憶する手段と、
前記看板として使われる用紙に看板番号、排出者名及び廃棄物品目を含む情報を印刷する手段と、
前記看板番号と、前記看板に取り付けられたＩＣタグに固有のタグＩＤとの対応付けを示す看板タグ対応情報を取得し、記憶する手段と、
前記携帯端末から回収実績情報を取得し、記憶する手段と、
を備え、
前記携帯端末が、
前記コンピュータから前記看板タグ対応情報及び前記看板属性情報を取得し、記憶する手段と、
空の容器に取り付けられた看板のＩＣタグからタグＩＤを取得し、前記看板タグ対応情報を参照して当該タグＩＤに対応する看板番号を特定し、当該看板番号を含む前記看板属性情報のうち、回収場所を表示する手段と、
前記集積所に搬送された容器に取り付けられた看板のＩＣタグからタグＩＤを取得し、前記看板タグ対応情報を参照して当該タグＩＤに対応する看板番号を特定し、当該看板番号を含む前記看板属性情報を読み出し、前記廃棄物の分量を取得し、当該看板属性情報に当該分量を追加し、回収実績情報として記憶する手段と、
前記集積所において、廃棄物の入った容器から空の容器に付け替えられた、又は、廃棄物が排出されて空になった容器に元々取り付けられている前記看板のＩＣタグからタグＩＤを取得し、前記看板タグ対応情報を参照して当該タグＩＤに対応する看板番号を特定し、当該看板番号を含む前記看板属性情報のうち、次回設置場所を表示する手段と、
を備える
ことを特徴とする廃棄物容器管理システム。
【請求項７】
請求項６に記載の廃棄物容器管理システムであって、
前記携帯端末は、
前記回収場所において、実際の排出者名及び廃棄物品目が前記看板に印刷された情報と異なる場合に、実際の排出者名、廃棄物品目、回収場所及び次回設置場所を含む例外情報を取得し、前記看板の前記ＩＣタグに送信する手段と、
前記集積所において、前記ＩＣタグに前記例外情報が含まれている場合に、前記ＩＣタグから当該例外情報を取得し、回収実績情報として記憶する手段と、
をさらに備えることを特徴とする廃棄物容器管理システム。
【請求項８】
請求項７に記載の廃棄物容器管理システムであって、
前記携帯端末は、前記回収場所において回収場所を取得する場合には、当該回収場所に設置されている回収場所識別タグからＩＤを読み取り、当該ＩＤに基づいて当該回収場所の識別情報を特定する
ことを特徴とする廃棄物容器管理システム。
【請求項９】
作業場所から排出される廃棄物を集積所に搬送するためのものであり、前記廃棄物の排出者の間で使い回される容器を管理するシステムであって、
コンピュータ及び携帯端末を備え、
前記コンピュータは、
前記排出者ごとに発行される看板に固有の看板番号、排出者名、廃棄物品目、回収場所及び次回設置場所を含む看板属性情報を取得し、記憶する手段と、
前記看板として使われる用紙に看板番号、排出者名及び廃棄物品目を含む情報を印刷する手段と、
前記看板番号と、前記看板に取り付けられたＩＣタグに固有のタグＩＤとの対応付けを示す看板タグ対応情報を取得し、記憶する手段と、
前記携帯端末から回収実績情報を取得し、記憶する手段と、
を備え、
前記携帯端末は、
前記コンピュータから前記看板タグ対応情報及び前記看板属性情報を取得し、記憶する手段と、
空の容器に取り付けられた看板のＩＣタグからタグＩＤを取得し、前記看板タグ対応情報を参照して当該タグＩＤに対応する看板番号を特定し、当該看板番号を含む前記看板属性情報のうち、回収場所を表示する手段と、
前記回収場所において、廃棄物の入った容器に取り付けられた看板のＩＣタグからタグＩＤを取得し、前記看板タグ対応情報を参照して当該タグＩＤに対応する看板番号を特定し、当該看板番号を含む前記看板属性情報を特定し、前記廃棄物の分量を取得し、当該看板属性情報に当該分量を追加して、前記容器に取り付けられたＩＣタグに送信する手段と、
前記集積所に搬送された前記容器のＩＣタグから前記看板属性情報を取得し、回収実績情報として記憶する手段と、
を備える
ことを特徴とする廃棄物容器管理システム。
【請求項１０】
請求項９に記載の廃棄物容器管理システムであって、
前記携帯端末は、前記集積所に搬送された前記容器のＩＣタグから前記看板属性情報を取得した後、当該ＩＣタグに記憶されている当該看板属性情報を消去する
ことを特徴とする廃棄物容器管理システム。
【発明の詳細な説明】
【技術分野】
【０００１】
本発明は、廃棄物を搬送するための容器を管理する廃棄物容器管理方法及び廃棄物容器管理システムに関する。
【背景技術】
【０００２】
一般に、建設現場において廃棄物を排出する場合には、専門工事会社の各担当者が現場内の地上階にある集積所に廃棄物を一旦集積、分別し、その分別した廃棄物を収集運搬業者に搬出してもらう方法がとられる。この方法では、建設現場の各階に一時的な捨て場（回収場所）を設け、その捨て場に集まった廃棄物を揚重機（エレベータ）で地上階に降ろして集積所に集めるのが、一般的である。この場合、揚重機の利用スケジュールが密で大規模な作業場所においては、次のようにして廃棄物分別処理を実施している。
【０００３】
すなわち、分別看板を取付けた、例えば容積１ｍ３の網台車型コンテナ（以下、産廃コンテナという）を専門工事会社に貸出し、産廃コンテナ単位で荷卸し及び廃棄処理を行い、産廃コンテナの揚げ降しにかかる揚重機使用の最適化と、廃棄物の厳格で効率的な分別処理とを実施している。この方法では、各専門工事会社に係る産廃処理の実績を確実に記録し、その実績データを物流システムに正確に入力することが重要である。
【０００４】
なお、特許文献１には、建築工程において専門工事会社が排出した廃棄物を正確に管理すると共に、当該廃棄物のリサイクル率を高め、さらに当該廃棄物に係る物流全体のコストと建物建築に係るコストとを低減させることを目的とした廃棄物管理システムが開示されているが、分別看板は使用していない。
【特許文献１】特許第３７４３９８３号公報
【発明の開示】
【発明が解決しようとする課題】
【０００５】
産廃処理の実績データを収集する場合に、集積所で各産廃コンテナの利用会社、品目、容量、処理日時等を手書きで記録したメモをもとに、事務所で物流システムにデータ入力する必要があり、この作業に多くの時間がかかっていた。また、産廃コンテナの在庫管理をする場合に、貸出した産廃コンテナの現在位置を把握するには、作業場所内を探し回って目視で記録する必要があった。そして、各産廃コンテナの回転率等の利用状況を把握することが困難だった。さらに、分別看板や各種帳票を個別に作成していたため、作業負担が大きかった。
【０００６】
本発明は、上記課題を鑑みてなされたものであり、その主たる目的は、作業場所に係る廃棄物分別処理を効率的に実施することにある。
【課題を解決するための手段】
【０００７】
上記課題を解決するために、本発明は、コンピュータ及び携帯端末を用いて、作業場所から排出される廃棄物を集積所に搬送するためのものであり、前記廃棄物の排出者の間で使い回される容器を管理する方法であって、前記コンピュータが、前記排出者ごとに発行される看板に固有の看板番号、排出者名、廃棄物品目、回収場所及び次回設置場所を含む看板属性情報を取得し、記憶するステップと、前記コンピュータが、前記看板として使われる用紙に看板番号、排出者名及び廃棄物品目を含む情報を印刷するステップと、前記コンピュータが、前記看板番号と、前記看板に取り付けられたＩＣタグに固有のタグＩＤとの対応付けを示す看板タグ対応情報を取得し、記憶するステップと、前記携帯端末が、前記コンピュータから前記看板タグ対応情報及び前記看板属性情報を取得し、記憶するステップと、前記携帯端末が、空の容器に取り付けられた看板のＩＣタグからタグＩＤを取得し、前記看板タグ対応情報を参照して当該タグＩＤに対応する看板番号を特定し、当該看板番号を含む前記看板属性情報のうち、回収場所を表示するステップと、前記携帯端末が、前記集積所に搬送された容器に取り付けられた看板のＩＣタグからタグＩＤを取得し、前記看板タグ対応情報を参照して当該タグＩＤに対応する看板番号を特定し、当該看板番号を含む前記看板属性情報を読み出し、前記廃棄物の分量を取得し、当該看板属性情報に当該分量を追加し、回収実績情報として記憶するステップと、前記コンピュータが、前記携帯端末から前記回収実績情報を取得し、記憶するステップと、前記携帯端末が、前記集積所において、廃棄物の入った容器から空の容器に付け替えられた、又は、廃棄物が排出されて空になった容器に元々取り付けられている前記看板のＩＣタグからタグＩＤを取得し、前記看板タグ対応情報を参照して当該タグＩＤに対応する看板番号を特定し、当該看板番号を含む前記看板属性情報のうち、次回設置場所を表示するステップとを実行することを特徴とする。
【０００８】
この方法によれば、携帯端末を用いることによって、まず、空の容器の看板から排出者の希望する回収場所が分かるので、当該回収場所に容器を搬送することができる。次に、集積所において、廃棄物の入った容器の看板に応じて廃棄物の分量を記録するので、正確な回収実績情報を蓄積することができる。そして、集積所において、廃棄物の入った容器から空の容器に付け替えられた、又は、廃棄物が排出されて空になった容器に元々取り付けられている看板から排出者の希望する次回設置場所が分かるので、当該次回設置場所に空の容器を搬送することができる。以上によれば、作業場所における容器の移動及び廃棄物の分別処理を正しく効率的に実施することができる。  
なお、集積所は、作業場所内に設けられた集積所であってもよいし、中間処理施設、最終処分場、再資源化施設等の外部施設であってもよい（他の発明も同様）。
【０００９】
また、本発明は、廃棄物容器管理方法であって、前記携帯端末が、前記回収場所において、実際の排出者名及び廃棄物品目が前記看板に印刷された情報と異なる場合に、実際の排出者名、廃棄物品目、回収場所及び次回設置場所を含む例外情報を取得し、前記看板の前記ＩＣタグに送信するステップと、前記ＩＣタグが、前記携帯端末から前記例外情報を受信し、記憶するステップと、前記携帯端末が、前記集積所において、前記ＩＣタグに前記例外情報が含まれている場合に、前記ＩＣタグから当該例外情報を取得し、回収実績情報として記憶するステップとをさらに実行することを特徴とする。  
この方法によれば、実際に容器を使用している排出者や容器に入っている廃棄物の品目が看板の内容と異なっている場合であっても、看板のＩＣタグに実際の排出者名や廃棄物品目等を書き込むことによって、回収実績として正しい情報を蓄積することができる。
【００１０】
また、本発明は、廃棄物容器管理方法であって、前記携帯端末が、前記回収場所において回収場所を取得する場合には、当該回収場所に設置されている回収場所識別タグからＩＤを読み取り、当該ＩＤに基づいて当該回収場所の識別情報を特定することを特徴とする。  
この方法によれば、回収場所の名前を把握していなくても、容器の現在位置としての回収場所の識別情報を特定することができる。
【００１１】
また、本発明は、コンピュータ及び携帯端末を用いて、作業場所から排出される廃棄物を集積所に搬送するためのものであり、前記廃棄物の排出者の間で使い回される容器を管理する方法であって、前記コンピュータが、前記排出者ごとに発行される看板に固有の看板番号、排出者名、廃棄物品目、回収場所及び次回設置場所を含む看板属性情報を取得し、記憶するステップと、前記コンピュータが、前記看板として使われる用紙に看板番号、排出者名及び廃棄物品目を含む情報を印刷するステップと、前記コンピュータが、前記看板番号と、前記看板に取り付けられたＩＣタグに固有のタグＩＤとの対応付けを示す看板タグ対応情報を取得し、記憶するステップと、前記携帯端末が、前記コンピュータから前記看板タグ対応情報及び前記看板属性情報を取得し、記憶するステップと、前記携帯端末が、空の容器に取り付けられた看板のＩＣタグからタグＩＤを取得し、前記看板タグ対応情報を参照して当該タグＩＤに対応する看板番号を特定し、当該看板番号を含む前記看板属性情報のうち、回収場所を表示するステップと、前記携帯端末が、前記回収場所において、廃棄物の入った容器に取り付けられた看板のＩＣタグからタグＩＤを取得し、前記看板タグ対応情報を参照して当該タグＩＤに対応する看板番号を特定し、当該看板番号を含む前記看板属性情報を特定し、前記廃棄物の分量を取得し、当該看板属性情報に当該分量を追加して、前記容器に取り付けられたＩＣタグに送信するステップと、前記容器のＩＣタグが、前記携帯端末から前記看板属性情報を受信し、記憶するステップと、前記携帯端末が、前記集積所に搬送された前記容器のＩＣタグから前記看板属性情報を取得し、回収実績情報として記憶するステップと、前記コンピュータが、前記携帯端末から前記回収実績情報を取得し、記憶するステップとを実行することを特徴とする。
この方法によれば、携帯端末を用いることによって、まず、空の容器の看板から排出者の希望する回収場所が分かるので、当該回収場所に容器を搬送することができる。次に、回収場所において、廃棄物の入った容器のＩＣタグに廃棄物の分量を記録するので、正確な回収実績情報を蓄積することができる。そして、回収場所において、廃棄物の入った容器の看板が不要になるので、看板を空の容器に付け替えることによって、当該排出者は、廃棄物の回収、集積、分別の処理を待つことなく、すぐに新たな容器を使用することができる。以上によれば、作業場所における容器の移動及び廃棄物の分別処理を正しく効率的に実施することができる。
【００１２】
また、本発明は、廃棄物容器管理方法であって、前記携帯端末が、前記集積所に搬送された前記容器のＩＣタグから前記看板属性情報を取得した後、当該ＩＣタグに記憶されている当該看板属性情報を消去することを特徴とする。  
この方法によれば、容器のＩＣタグの当該看板属性情報を消去するので、その容器から廃棄物を処分した後、その空になった容器を任意の回収場所に再配置することができる。例えば、各回収場所における空の容器の台数に応じて適切に容器を再配置することができる。  
なお、本発明は、廃棄物容器管理システムを含む。その他、本願が開示する課題及びその解決方法は、発明を実施するための最良の形態の欄、及び図面により明らかにされる。
【発明の効果】
【００１３】
本発明によれば、作業場所に係る廃棄物分別処理を効率的に実施することができる。
【発明を実施するための最良の形態】
【００１４】
以下、図面を参照しながら、本発明を実施するための最良の形態を説明する。本発明の実施の形態に係る廃棄物コンテナ管理システム（廃棄物容器管理システム）は、ＰＣ（Personal Computer：コンピュータ）、携帯端末及びＩＣタグ付き分別看板（看板）を用いて、作業場所において回収、搬送される廃棄物コンテナを管理するものである。専門工事会社が廃棄物の搬送にコンテナを利用する場合に、分別看板を貼付することで当該コンテナに係る専門工事会社及び廃棄物品目が表示される。次に、分別看板による表示が不要になったときに、物流センタの担当者が廃棄物の入ったコンテナから別の空コンテナに分別看板を付け替える。コンテナは、作業場所において、分別看板を付け替えられながら、複数の専門工事会社の間で使い回される。
【００１５】
本実施の形態では、コンテナにＩＣタグを貼付しない第１の実施の形態と、コンテナにＩＣタグを貼付する第２の実施の形態とについて説明する。  
＜＜  第１の実施の形態  ＞＞
≪廃棄物コンテナ管理システムの構成と概要≫
図１は、第１の実施の形態に係る廃棄物コンテナ管理システム１の構成を示す図である。廃棄物コンテナ管理システム１は、物流センタＣ及び作業場所Ｇに亘って適用され、廃棄物の管理業務を支援するものである。物流センタＣは、作業場所Ｇにおける資機材の搬入／揚重スケジュールの調整や廃棄物搬出の管理、揚重設備のオペレーション等を担当する部署である。作業場所Ｇは、例えば、５階建ての大規模商業施設の新築工事の現場であり、各階の各工区に分散して廃棄物の回収場所Ｐ１、Ｐ２、・・・、Ｐｎが設けられ、各回収場所Ｐに廃棄物を回収、搬送するためのコンテナ４が設置される。また、地上階には集積所Ｓが設けられ、コンテナ４で搬送された廃棄物の集積、分別処理が行われる。集積所Ｓは、廃棄物集積ヤードやゼロエミステーションとも呼ばれる。
【００１６】
ＰＣ２は、物流センタＣの事務所に設置され、コンテナ４を利用する会社（排出者）や分別品目の登録、分別看板５の発行、分別看板５とＩＣタグ７の紐付け、回収実績の記録等を行う。携帯端末３は、物流センタＣの事務所ではアダプタ等を通じてＰＣ２と有線接続して用いられ、作業場所Ｇに持って行かれる前にＰＣ２から分別看板５に関する情報（看板タグ対応情報及び看板属性情報）を取得し、記憶し、作業場所Ｇから戻って来た後にＰＣ２に分別看板５に関する情報（回収実績情報）を出力する。これは、作業場所Ｇでは通信環境が悪いので、物流センタＣの事務所において、ＰＣ２と、携帯端末３との間でデータのやりとりを行うものである。
【００１７】
コンテナ４は、作業場所Ｇにおいて各回収場所Ｐ及び集積所Ｓの間を移動しながら、廃棄物の回収、搬出、集積に用いられる。分別看板５は、物流センタＣの事務所で発行され、作業場所Ｇでコンテナ４に貼付されて用いられる。分別看板５の発行の際には、まず、ＰＣ２に登録された看板番号、会社名及び分別品目を含む情報が、印字部６としてカラープリンタで普通紙（用紙）に印刷され、その普通紙にＩＣタグ７が貼付され、さらに普通紙全体がラミネート加工されたものが分別看板５となる。
【００１８】
携帯端末３は、作業場所Ｇでは分別看板５のＩＣタグ７と無線通信接続して用いられ、分別看板５に関する情報の表示、ＩＣタグ７への分別看板５に関する情報の書き込み、回収実績情報の取得等を行う。
【００１９】
なお、ＩＣタグ７が書き換え不可のＩＤを有するだけであり、書き換え可能なメモリ領域を持たない場合には、ＩＣタグ７をバーコードに置き換えてもよい。逆に、ＩＣタグ７には非接触読み取り、複数同時読み取り、高耐久性、情報の書き込み機能等の特徴があるので、それらの特徴を活用したい場合にはＩＣタグ７が有効である。
【００２０】
図２は、ＰＣ２のハードウェア構成を示す図である。ＰＣ２は、通信部２１、表示部２２、入力部２３、処理部２４、記憶部２５及び印刷部２６を備える。通信部２１は、携帯端末３や分別看板５のＩＣタグ７と通信を行う部分であり、例えば、ＵＳＢ（Universal Serial Bus）接続タイプのアダプタやＩＣタグＲ／Ｗ（Reader/Writer）等によって実現される。表示部２２は、処理部２４からの指示によりデータを表示する部分であり、例えば、液晶ディスプレイ（ＬＣＤ：Liquid Crystal Display）等によって実現される。入力部２３は、オペレータがデータ（例えば、会社名や分別品目のデータ）を入力する部分であり、例えば、キーボードやマウス等によって実現される。処理部２４は、各部間のデータの受け渡しを行うととともに、ＰＣ２全体の制御を行うものであり、ＣＰＵ（Central Processing Unit）が所定のメモリに格納されたプログラムを実行することによって実現される。記憶部２５は、処理部２４からデータを記憶したり、記憶したデータを読み出したりするものであり、例えば、フラッシュメモリやハードディスク装置等の不揮発性記憶装置によって実現される。印刷部２６は、分別看板５に関する情報を用紙に印刷するものであり、例えば、カラープリンタ等の印刷装置によって実現される。
【００２１】
図３は、携帯端末３のハードウェア構成を示す図である。携帯端末３は、通信部３１、表示部３２、入力部３３、処理部３４及び記憶部３５を備える。通信部３１は、ＰＣ２や分別看板５のＩＣタグ７と通信を行う部分であり、例えば、アダプタ接続端子やＩＣタグＲ／Ｗ等によって実現される。ＩＣタグＲ／Ｗは、作業場所Ｇにおける作業性を考慮して、携帯端末３に簡易に装着可能なＣＦ（Compact Flash）タイプが好ましい。表示部３２は、処理部３４からの指示によりデータを表示する部分であり、例えば、液晶ディスプレイ（ＬＣＤ：Liquid Crystal Display）等によって実現される。入力部３３は、オペレータがデータ（例えば、会社名や分別品目のデータ）を入力する部分であり、例えば、操作ボタンやタッチペン等によって実現される。処理部３４は、各部間のデータの受け渡しを行うととともに、携帯端末３全体の制御を行うものであり、ＣＰＵが所定のメモリに格納されたプログラムを実行することによって実現される。記憶部３５は、処理部３４からデータを記憶したり、記憶したデータを読み出したりするものであり、例えば、フラッシュメモリやハードディスク装置等の不揮発性記憶装置によって実現される。
【００２２】
図４は、ＩＣタグ７のハードウェア構成を示す図である。ＩＣタグ７は、通信部７１、処理部７２及び記憶部７３を備える。通信部７１は、ＰＣ２や携帯端末３のＩＣタグＲ／Ｗと通信を行う部分であり、例えば、無線アンテナ等によって実現される。処理部７２は、各部間のデータの受け渡しを行うととともに、ＩＣタグ７全体の制御を行うものであり、ＣＰＵが所定のメモリに格納されたプログラムを実行することによって実現される。記憶部７３は、処理部７２からデータを記憶したり、記憶したデータを読み出したりするものであり、不揮発性メモリによって実現される。
【００２３】
≪データの構成≫
図５は、ＰＣ２の記憶部２５に記憶されるデータの構成を示す図である。図５（ａ）は、看板タグ対応情報２５Ａの構成を示す。看板タグ対応情報２５Ａは、分別看板５の番号と、ＩＣタグ７のＩＤとを対応付けるために設定されるものであり、看板番号２５Ａ１及びタグＩＤ２５Ａ２を含むレコードからなる。看板番号２５Ａ１は、分別看板５に固有の番号であり、印字部６に含まれるものである。タグＩＤ２５Ａ２は、ＩＣタグ７に固有のＩＤであり、ＩＣタグ７の記憶部７３に記憶されるものである。
【００２４】
図５（ｂ）は、看板属性情報２５Ｂの構成を示す図である。看板属性情報２５Ｂは、分別看板５の属性を示すものであり、看板番号２５Ｂ１、会社名２５Ｂ２、分別品目２５Ｂ３、回収場所２５Ｂ４、回収工区２５Ｂ５、次回設置場所２５Ｂ６、次回設置工区２５Ｂ７、分量２５Ｂ８及び移動フラグ２５Ｂ９を含むレコードからなる。なお、看板属性情報２５Ｂは、当該専門工事会社がコンテナ４を利用し始めた利用開始日を含んでいてもよい。
【００２５】
看板番号２５Ｂ１は、分別看板５に固有の番号であり、印字部６に含まれる。会社名２５Ｂ２は、分別看板５の掛けられたコンテナ（当該コンテナ）４を利用する専門工事会社の名前を示す。分別品目２５Ｂ３は、当該コンテナ４で回収すべき廃棄物の品目を示す。回収場所２５Ｂ４は、当該コンテナ４が設置されている場所を示し、例えば、階番号を示す。回収工区２５Ｂ５は、当該コンテナ４が設置されている工区を示す。次回設置場所２５Ｂ６は、次に当該コンテナ４が設置されるべき場所を示し、例えば、階番号を示す。次回設置工区２５Ｂ７は、次に当該コンテナ４が設置されるべき工区を示す。
【００２６】
分量２５Ｂ８は、当該コンテナ４に回収されている廃棄物の分量を、満杯状態に対する割合（例えば、％単位）で示す。移動フラグ２５Ｂ９は、当該コンテナ４が、まだ満杯ではないので、集積所Ｓに移動することなく、現在の位置から次回設置場所２５Ｂ６及び次回設置工区２５Ｂ７に直接移動することを指示するものである。移動フラグ２５Ｂ９がオンの場合、分量２５Ｂ８は１００％より小さいと考えられる。移動フラグ２５Ｂ９がオフの場合、分量２５Ｂ８は通常１００％以上であると考えられるが、コンテナ４を返却する際には１００％未満のこともある。換言すれば、移動フラグ２５Ｂ９がオンの場合、専門工事会社の職長が当該コンテナ４を別の回収場所に搬送して、さらに廃棄物を回収することを希望していることを示し、移動フラグ２５Ｂ９がオフの場合、専門工事会社の職長が当該コンテナ４を集積所Ｓに搬送することを許可していることを示す。これによれば、専門工事会社の意図が明確になるので、物流センタとの意思疎通が円滑になる。
【００２７】
図６は、携帯端末３の記憶部３５に記憶されるデータの構成を示す図である。図６（ａ）は、看板タグ対応情報３５Ａの構成を示す。看板タグ対応情報３５Ａは、分別看板５の番号と、ＩＣタグ７のＩＤとを対応付けるために設定されるものであり、看板番号３５Ａ１及びタグＩＤ３５Ａ２を含むレコードからなる。各項目の詳細は、図５（ａ）の看板タグ対応情報２５Ａと同様である。
【００２８】
図６（ｂ）は、看板属性情報３５Ｂの構成を示す。看板属性情報３５Ｂは、分別看板５の属性を示すものであり、看板番号３５Ｂ１、会社名３５Ｂ２、分別品目３５Ｂ３、回収場所３５Ｂ４、回収工区３５Ｂ５、次回設置場所３５Ｂ６、次回設置工区３５Ｂ７、分量３５Ｂ８及び移動フラグ３５Ｂ９を含むレコードからなる。各項目の詳細は、図５（ｂ）の看板属性情報２５Ｂと同様である。
【００２９】
図７は、ＩＣタグ７の記憶部７３に記憶されるデータの構成を示す図である。図７（ａ）は、固有情報７３Ａの構成を示す。固有情報７３Ａは、ＩＣタグ７に固有の情報であり、タグＩＤ７３Ａ１を含む。タグＩＤ７３Ａ１は、ＩＣタグ７に固有のＩＤである。
【００３０】
図７（ｂ）は、例外情報７３Ｂの構成を示す。例外情報７３Ｂは、分別看板５の印字部６が示す内容と、実際とが異なる場合に、実際の内容を格納するものであり、会社名７３Ｂ１、分別品目７３Ｂ２、回収場所７３Ｂ３、回収工区７３Ｂ４、次回設置場所７３Ｂ５、次回設置工区７３Ｂ６、分量７３Ｂ７及び移動フラグ７３Ｂ８を含む。各項目の詳細は、図５（ｂ）の看板属性情報２５Ｂのうち、会社名２５Ｂ２〜移動フラグ２５Ｂ９と同様である。
【００３１】
≪廃棄物コンテナ管理業務の流れ≫
図８は、第１の実施の形態に係る廃棄物コンテナ管理業務の流れを示す図である。
【００３２】
（１）分別看板の発行（Ｓ８０１）
物流センタＣの担当者が、専門工事会社の利用申込みに応じて分別看板５を発行する。まず、ＰＣ２の廃棄物管理プログラムを用いて、看板属性情報２５Ｂを登録する。そして、看板属性情報２５Ｂのうち、看板番号２５Ｂ１、会社名２５Ｂ２及び分別品目２５Ｂ３を印字部６としてカラープリンタで普通紙に印刷し、その普通紙にＩＣタグ７を貼付した後、ラミネート加工したものを分別看板５とする。  
分別看板５のＩＣタグ７に固有のタグＩＤ７３Ａ１と、ＰＣ２に登録した看板番号２５Ｂ１とを関係付ける。ＵＳＢ接続タイプのＩＣタグＲ／ＷをＰＣ２に接続し、そのＩＣタグＲ／Ｗで読み取ったタグＩＤと、ＰＣ２の画面で選択した看板番号とを対応付け、その対応付けを示す看板タグ対応情報２５ＡをＰＣ２のＨＤＤ（Hard Disk Drive）等の記憶装置に記憶させる。  
ＰＣ２から携帯端末３に看板タグ対応情報２５Ａ及び看板属性情報２５Ｂを転送する。
【００３３】
（２）廃棄物コンテナの設置（Ｓ８０２）
物流センタＣの担当者が、集積所Ｓで空のコンテナ４に分別看板５を貼付し、携帯端末３を用いてそのコンテナ４の回収場所（階、工区）を確認し、その回収場所にコンテナ４を搬送し、設置する。回収場所の確認にあたっては、分別看板５のＩＣタグ７に携帯端末３のＩＣタグＲ／Ｗを近付けて、図８（ｂ）に示す画面の「ＩＣタグ読込」ボタンを選択すると、図８（ｃ）に示す画面（分別看板５の詳細情報＝看板属性情報３５Ｂ）が表示される。
【００３４】
（３）廃棄物コンテナの回収（Ｓ８０３）
物流センタＣの担当者（揚重機のオペレータ等）が、専門工事会社の職長の確認をとって、廃棄物で一杯になったコンテナ４を回収し、集積所Ｓに搬送する。そのとき、廃棄物の分量３５Ｂ８を携帯端末３に入力する。これは、例えば、翌日に当該コンテナ４の回収を予定している場合に、施工階と地上階との間を昇降することで回収場所Ｐから集積所Ｓにコンテナ４を搬送する揚重機の運用計画や、集積所Ｓから最終処分場等の外部施設に廃棄物を運搬する搬送車の配車計画を調整するために、各専門工事会社の有する廃棄物の分量を把握することを目的とする。なお、専門工事会社から当日ではなく、翌日を指定して当該コンテナ４の回収を依頼される場合もある。この場合、翌日の回収依頼内容が入力された携帯端末３を物流センタＣに持ち帰って、各携帯端末３からＰＣ２に回収依頼内容を転送し、ＰＣ２で回収依頼一覧表のデータを作成し、印刷するようにしてもよい。  
コンテナ４の回収の際、実際の専門工事会社名や分別品目が分別看板５の印字部６の内容と一致するか否かを確認し、異なる場合には、確認用の携帯端末３に実際の専門工事会社名や分別品目を入力し、例外情報７３ＢとしてＩＣタグ７に書き込む。そのとき、回収場所は現在位置を入力し、次回設置場所及び移動のみか否か（移動フラグ）は、職長に問い合わせて設定する。職長の依頼がなければ、現在と同じ場所に設定する方法も考えられる。なお、現在位置（回収場所）の入力に際しては、携帯端末３の操作ボタンを用いてもよい。また、各階、各工区に回収場所識別タグを設置し、携帯端末３に回収場所識別タグに固有のＩＤと、回収場所の名前（階番号、工区名等の識別情報）との対応付けを示す情報を記憶しておき、その回収場所識別タグのＩＤを携帯端末３で読み取ることによって階番号や工区名を特定してもよい。  
「移動のみ」のボックスがチェックされている場合には、コンテナ４を次回設置場所に搬送し、設置する。回収場所や次回設置場所は、上記と同様に設定するが、新たに依頼がなければ予め設定された場所のままでもよい。
【００３５】
（４）廃棄物の集積、分別処理（Ｓ８０４）
物流センタＣの担当者は、集積所Ｓにおいて、搬送されて来たコンテナ４を処理する。回収用の携帯端末３を用いて、コンテナ４に貼付された分別看板５のＩＣタグ７を読み取り、廃棄物の回収及び分別処理を実施したことを示す回収実績情報を記録し、物流センタＣに戻って、携帯端末３からＰＣ２に転送する。回収実績情報とは、廃棄物の分量３５Ｂ８を携帯端末３に入力し、看板属性情報３５Ｂに追加したものであり、タイミングによっては、複数の回収実績情報（履歴情報）が携帯端末３に記録され、一括してＰＣ２に転送される。
【００３６】
（５）分別看板の付け替え及び廃棄物コンテナの再設置（Ｓ８０５）
物流センタＣの担当者は、分別看板５を廃棄物の入っているコンテナ４から空のコンテナ４に付け替える。そして、携帯端末３を用いてＩＣタグ７を読み取り、次回設置場所を確認し、その場所にコンテナ４を搬送し、設置する。これによれば、廃棄物の分別処理等の完了を待つことなく、当該専門工事会社が希望する次の設置場所に早くコンテナ４を搬送することができる。次に、携帯端末３を用いて、回収場所や次回設置場所を書き換える。設定内容は、（３）の実際と分別看板５とが異なる場合と同様である。その後、（３）の処理を行う。  
なお、集積所Ｓにおいて、搬送されて来たコンテナ４の廃棄物をすぐに排出でき、かつ、空になった当該コンテナ４をすぐに次の設置場所に搬送できる場合には、分別看板５を付け替えることなく、同じコンテナ４（分別看板５が元々取り付けられているコンテナ４）をそのまま使い回すことになる。
【００３７】
（６）廃棄物コンテナの在庫管理
物流センタＣの担当者は、作業場所Ｇ全体を随時巡回しながら、確認用の携帯端末３を用いて、コンテナ４に貼付された分別看板５のＩＣタグ７を読み取り、コンテナ４の実際の設置場所等が廃棄物コンテナ管理システムの１の情報と一致しているか否かを確認する。設置場所等が異なっている場合には、相違点を確認用の携帯端末３に入力、記録する。そして、物流センタＣに戻って、携帯端末３からＰＣ２にデータ転送して、廃棄物コンテナ管理システム１の情報を更新する。  
これによれば、コンテナ４の運用状況を正しく把握することによって、コンテナ４の数量の最適化や不正利用の発見につなげることができる。
【００３８】
≪システムの処理≫
図９は、廃棄物コンテナ管理システム１の処理を示すフローチャートである。ここでは、図８の業務の流れに応じたＰＣ２及び携帯端末３の動作を中心に説明する。
【００３９】
物流センタＣにおける分別看板５の発行（Ｓ８０１）に際して、ＰＣ２は、まず、入力部２３から看板属性情報２５Ｂを取得し、記憶部２５に記憶する（Ｓ９０１）。次に、記憶した看板属性情報２５Ｂのうち、看板番号２５Ｂ１、会社名２５Ｂ２及び分別品目２５Ｂ３を印刷部２６により用紙に印刷する（Ｓ９０２）。この印刷した用紙にＩＣタグ７を貼付し、ラミネート加工したものが分別看板５になる。そして、ＰＣ２は、入力部２３から看板タグ対応情報２５Ａを取得し、記憶部２５に記憶する（Ｓ９０３）。続いて、記憶した看板タグ対応情報２５Ａ及び看板属性情報２５Ｂを通信部２１経由で携帯端末３に転送する（Ｓ９０４）。その際、ＰＣ２と、携帯端末３とは、アダプタ等を通じて有線接続されているものとする。
【００４０】
携帯端末３は、ＰＣ２から通信部３１経由で看板タグ対応情報２５Ａ及び看板属性情報２５Ｂを受信し、看板タグ対応情報３５Ａ及び看板属性情報３５Ｂとして記憶部３５に記憶する（Ｓ９０５）。そして、携帯端末３は、担当者の手によって物流センタＣから作業場所Ｇへ移動する（Ｓ９０６）。
【００４１】
作業場所Ｇにおける回収場所Ｐの確認（Ｓ８０２）に際して、携帯端末３は、分別看板５のＩＣタグ７から看板属性情報３５Ｂを表示する（Ｓ９０７）。詳細には、「ＩＣタグ読込」ボタンが選択されると、携帯端末３が、まず、最寄りのＩＣタグ７のタグＩＤ７３Ａ１を読み取り、記憶部３５の看板タグ対応情報３５Ａを参照して当該タグＩＤ３５Ａ２に対応する看板番号３５Ａ１を特定し、記憶部３５の看板属性情報３５Ｂのうち、当該看板番号３５Ｂ１のレコードを読み出し、表示部３２に表示する。
【００４２】
廃棄物コンテナの回収（Ｓ８０３）に際して、実際の専門工事会社名や分別品目が分別看板５の印字部６の内容と一致した場合に、携帯端末３は、コンテナ４における廃棄物の分量３５Ｂ８を入力部３３から取得し、記憶部３５の看板属性情報３５Ｂに記憶する（Ｓ９０８）。一方、実際の専門工事会社名や分別品目が分別看板５の印字部６の内容と一致しない場合に、携帯端末３は、実際の看板属性情報３５Ｂの各項目データを入力部３３から取得し、ＩＣタグ７に書き込む（Ｓ９０９）。このとき、ＩＣタグ７は、携帯端末３から通信部７１経由で各項目データを受信し、記憶部７３の例外情報７３Ｂに記憶する。
【００４３】
集積所Ｓにおける廃棄物の集積、分別処理（Ｓ８０４）に際して、携帯端末３は、分別看板５のＩＣタグ７に基づいて回収実績情報（看板属性情報３５Ｂ）を取得し、記憶部３５に記憶する（Ｓ９１０）。詳細には、ＩＣタグ７の記憶部７３に例外情報７３Ｂが含まれていれば、記憶部３５の看板属性情報３５Ｂのうち、当該看板番号３５Ｂ１のレコードを例外情報７３Ｂに書き換える。ＩＣタグ７の記憶部７３に例外情報７３Ｂが含まれていなければ、看板属性情報３５Ｂの書き換えはしない。このとき、携帯端末３は、廃棄物の分量３５Ｂ８を取得し、回収実績情報に追加する。同じ専門工事会社、同じ品目の回収実績情報が２以上記憶されることがあるが、記憶日時によって区別するものとする。なお、Ｓ９０７〜Ｓ９１０の各処理は、順番に行われるわけではなく、担当者による携帯端末３の操作に応じて随時実行される。
【００４４】
携帯端末３は、担当者の手によって作業場所Ｇから物流センタＣへ移動する（Ｓ９１１）。そして、ＰＣ２に有線接続され、回収実績情報を通信部３１経由でＰＣ２に転送する（Ｓ９１２）。一方、ＰＣ２は、携帯端末３から通信部２１経由で回収実績情報を受信し、記憶部２５に記憶する（Ｓ９１３）。ＰＣ２は、必要に応じて、これらの情報に基づいて専門工事会社別の分別看板５の使用実績や廃棄物の処理実績のデータを作成する。
【００４５】
＜＜  第２の実施の形態  ＞＞
続いて、第２の実施の形態に係る廃棄物コンテナ管理システムについて、第１の実施の形態との相違点を中心に説明する。
【００４６】
≪廃棄物コンテナ管理システムの構成と概要≫
図１０は、第２の実施の形態に係る廃棄物コンテナ管理システム１ａの構成を示す図である。廃棄物コンテナ管理システム１ａにおいては、分別看板５にＩＣタグ７が貼付されているのに加えて、コンテナ４ａ自体にもＩＣタグ８が貼付されている。携帯端末３ａは、ＰＣ２及びＩＣタグ７に加えて、ＩＣタグ８とも通信を行う。回収場所Ｐでは、廃棄物で満杯になったコンテナ４ａのＩＣタグ８に看板属性情報３５Ｂ等を書き込む。一方、集積所Ｓでは、回収場所Ｐから搬送されて来たコンテナ４ａのＩＣタグ８から看板属性情報３５Ｂ等を読み取る。なお、携帯端末３ａのハードウェア構成は、図３と同様である。  
図１１は、ＩＣタグ８のハードウェア構成を示す図である。ＩＣタグ８は、通信部８１、処理部８２及び記憶部８３を備える。各部の詳細は、図４のＩＣタグ７の説明と同様である。
【００４７】
≪データの構成≫
図１２は、ＩＣタグ８の記憶部８３に記憶されるデータの構成を示す図である。図１２（ａ）は、固有情報８３Ａの構成を示す。固有情報８３Ａは、ＩＣタグ７に固有の情報であり、タグＩＤ８３Ａ１を含む。タグＩＤ８３Ａ１は、ＩＣタグ８に固有のＩＤである。  
図１２（ｂ）は、看板属性情報８３Ｂの構成を示す。看板属性情報８３Ｂは、コンテナ４ａに掛けられた分別看板５の属性を示すものであり、看板番号８３Ｂ１、会社名８３Ｂ２、分別品目８３Ｂ３、回収場所８３Ｂ４、回収工区８３Ｂ５、次回設置場所８３Ｂ６、次回設置工区８３Ｂ７、分量８３Ｂ８及び移動フラグ８３Ｂ９を含む。各項目の詳細は、図５（ｂ）の看板属性情報２５Ｂと同様である。  
図１２（ｃ）は、搬出情報８３Ｃの構成を示す。搬出情報８３Ｃは、当該ＩＣタグ８が貼付されたコンテナ４ａが回収場所Ｐから搬出されるときの情報であり、階番号８３Ｃ１及び搬出日時８３Ｃ２を含む。階番号８３Ｃ１は、回収場所Ｐのある階の番号である。搬出日時８３Ｃ２は、当該コンテナ４ａが回収場所Ｐから搬出された日時である。
【００４８】
≪廃棄物コンテナ管理業務の流れ≫
図１３は、第２の実施の形態に係る廃棄物コンテナ管理業務の流れを示す図である。
【００４９】
（１）分別看板の発行（Ｓ１３０１）
物流センタＣの担当者が、専門工事会社の利用申込みに応じて分別看板５を発行する。まず、ＰＣ２の廃棄物管理プログラムを用いて、看板属性情報２５Ｂを登録する。そして、看板属性情報２５Ｂのうち、看板番号２５Ｂ１、会社名２５Ｂ２及び分別品目２５Ｂ３を印字部６としてカラープリンタで普通紙に印刷し、その普通紙にＩＣタグ７を貼付した後、ラミネート加工したものを分別看板５とする。  
分別看板５のＩＣタグ７に固有のタグＩＤ７３Ａ１と、ＰＣ２に登録した看板番号２５Ｂ１とを関係付ける。ＵＳＢ接続タイプのＩＣタグＲ／ＷをＰＣ２に接続し、そのＩＣタグＲ／Ｗで読み取ったタグＩＤと、ＰＣ２の画面で選択した看板番号とを対応付け、その対応付けを示す看板タグ対応情報２５ＡをＨＤＤ等の記憶装置に記憶させる。  
ＰＣ２から携帯端末３ａに看板タグ対応情報２５Ａ及び看板属性情報２５Ｂを転送する。
【００５０】
（２）廃棄物コンテナの設置（Ｓ１３０２）
物流センタＣの担当者が、集積所Ｓで空のコンテナ４に分別看板５を貼付し、携帯端末３ａを用いてそのコンテナ４の回収場所（階、工区）を確認し、その回収場所にコンテナ４を搬送し、設置する。回収場所の確認にあたっては、分別看板５のＩＣタグ７に携帯端末３ａのＩＣタグＲ／Ｗを近付けて、図８（ｂ）に示す画面の「ＩＣタグ読込」ボタンを選択すると、図８（ｃ）に示す画面（分別看板５の詳細情報＝看板属性情報３５Ｂ）が表示される。
【００５１】
（３）空のコンテナの設置（Ｓ１３０３）
物流センタＣの担当者は、各回収場所Ｐに設置されているコンテナ４ａの台数を確認しながら、集積所Ｓにある空のコンテナ４ａを適切な回収場所Ｐに設置する。例えば、各回収場所Ｐにある空のコンテナ４ａの台数が極力同じになるように調整する。
【００５２】
（４）廃棄物コンテナの回収（Ｓ１３０４）
物流センタＣの担当者が、作業場所Ｇの各回収場所Ｐを巡回し、廃棄物で満杯になったコンテナ４ａ及びその回収場所Ｐをリストアップし、回収コンテナ一覧とする。  
回収コンテナ一覧に含まれるコンテナ４ａごとに、携帯端末３ａを用いて看板属性情報３５Ｂ等をＩＣタグ８に書き込む。看板属性情報３５Ｂの特定にあたっては、コンテナ４ａに掛けられた分別看板５のＩＣタグ７に携帯端末３ａを近付けて、図８（ｂ）に示す画面の「ＩＣタグ読込」ボタンを選択すると、図８（ｃ）に示す画面（分別看板５の詳細情報＝看板属性情報３５Ｂ）が表示される。なお、回収場所は現在位置を設定し、次回設置場所は設定不要である。また、満杯のコンテナ４ａを対象とするので、廃棄物の分量（％単位）は１００を設定し、移動フラグはリセットする。また、ＩＣタグ８には、看板属性情報３５Ｂに加えて、階番号及び搬出日時を書き込むものとする。  
分別看板５を満杯のコンテナ４ａから取り外し、空のコンテナ４ａに取り付ける。満杯のコンテナ４ａを回収し、集積所Ｓに搬送する。一方、分別看板５を取り付けた空のコンテナ４ａを、満杯のコンテナ４ａがあった回収場所Ｐに設置する。これによれば、施工階において集積所Ｓへの搬送が確定したコンテナ４ａから空のコンテナ４ａに分別看板５を付け替えることによって、廃棄物の処分のためにコンテナ４ａとともに分別看板５が集積所Ｓに搬送されることがなくなり、施工階でそのまま利用できるので、コンテナ４ａの回転効率を高めることができる。  
その際、実際の専門工事会社名や分別品目が分別看板の印字内容と一致するか否かを確認し、異なる場合には、確認用の携帯端末３ａに実際の専門工事会社名や分別品目を入力し、コンテナ４ａのＩＣタグ８に反映する。
【００５３】
（５）集積、分別処理（Ｓ１３０５）
物流センタＣの担当者は、集積所Ｓにおいて、搬送されて来たコンテナ４ａを処理する。回収用の携帯端末３ａを用いて、コンテナ４ａに貼付されたＩＣタグ８を読み取り、回収実績情報を記録し、物流センタＣに戻って、携帯端末３ａからＰＣ２にデータ転送する。満杯のコンテナ４ａから廃棄物を分別、廃棄する。
【００５４】
（６）ＩＣタグの情報の消去及び空のコンテナの再設置（Ｓ１３０６）
物流センタＣの担当者は、携帯端末３ａを用いて、空になったコンテナ４ａに貼付されたＩＣタグ８の情報を消去する。そして、（３）と同様に空のコンテナ４ａを適切な回収場所Ｐに再設置する。
【００５５】
（７）廃棄物コンテナの在庫管理
物流センタＣの担当者は、作業場所Ｇ全体を随時巡回しながら、確認用の携帯端末３ａを用いて、コンテナ４ａに貼付された分別看板５のＩＣタグ７を読み取り、コンテナ４の実際の設置場所等が廃棄物コンテナ管理システム１ａの情報と一致しているか否かを確認する。設置場所等が異なっている場合には、相違点を確認用の携帯端末３ａに入力、記録する。そして、物流センタＣに戻って、携帯端末３ａからＰＣ２にデータ転送して、廃棄物コンテナ管理システム１ａの情報を更新する。
【００５６】
≪システムの処理≫
図１４は、廃棄物コンテナ管理システム１ａの処理を示すフローチャートである。ここでは、図１３の業務の流れに応じたＰＣ２及び携帯端末３ａの動作を中心に説明する。
【００５７】
物流センタＣにおける分別看板５の発行（Ｓ１３０１）に際して、ＰＣ２は、まず、入力部２３から看板属性情報２５Ｂを取得し、記憶部２５に記憶する（Ｓ１４０１）。次に、記憶した看板属性情報２５Ｂのうち、看板番号２５Ｂ１、会社名２５Ｂ２及び分別品目２５Ｂ３を印刷部２６により用紙に印刷する（Ｓ１４０２）。この印刷した用紙にＩＣタグ７を貼付し、ラミネート加工したものが分別看板５になる。そして、ＰＣ２は、入力部２３から看板タグ対応情報２５Ａを取得し、記憶部２５に記憶する（Ｓ１４０３）。続いて、記憶した看板タグ対応情報２５Ａ及び看板属性情報２５Ｂを通信部２１経由で携帯端末３ａに転送する（Ｓ１４０４）。その際、ＰＣ２と、携帯端末３ａとは、アダプタ等を通じて有線接続されているものとする。
【００５８】
携帯端末３ａは、ＰＣ２から通信部３１経由で看板タグ対応情報２５Ａ及び看板属性情報２５Ｂを受信し、看板タグ対応情報３５Ａ及び看板属性情報３５Ｂとして記憶部３５に記憶する（Ｓ１４０５）。そして、携帯端末３ａは、担当者の手によって物流センタＣから作業場所Ｇへ移動する（Ｓ１４０６）。  
作業場所Ｇにおける回収場所Ｐの確認（Ｓ１３０２）に際して、携帯端末３ａは、分別看板５のＩＣタグ７から看板属性情報３５Ｂを表示する（Ｓ１４０７）。詳細には、「ＩＣタグ読込」ボタンが選択されると、携帯端末３ａが、まず、最寄りのＩＣタグ７のタグＩＤ７３Ａ１を読み取り、記憶部３５の看板タグ対応情報３５Ａを参照して当該タグＩＤ３５Ａ２に対応する看板番号３５Ａ１を特定し、記憶部３５の看板属性情報３５Ｂのうち、当該看板番号３５Ｂ１のレコードを読み出し、表示部３２に表示する。
【００５９】
廃棄物コンテナの回収（Ｓ１３０４）に際して、実際の専門工事会社名や分別品目が分別看板５の印字部６の内容と一致した場合に、携帯端末３ａは、分別看板５のＩＣタグ７からコンテナ４ａのＩＣタグ８に看板属性情報３５Ｂを転写する（Ｓ１４０８）。詳細には、Ｓ１４０７と同様に看板属性情報３５Ｂの１レコードを特定し、回収場所等が修正された当該レコードをＩＣタグ８に書き込む。このとき、携帯端末３ａは、廃棄物の分量を入力部３３から取得し、当該レコードに反映する。一方、実際の専門工事会社名や分別品目が分別看板５の印字部６の内容と一致しない場合に、携帯端末３ａは、実際の看板属性情報３５Ｂの各項目データを入力部３３から取得し、コンテナ４ａのＩＣタグ８に書き込む（Ｓ１４０９）。このとき、ＩＣタグ８は、携帯端末３ａから通信８１経由で各項目データを受信し、記憶部８３の看板属性情報８３Ｂに記憶する。なお、いずれの場合にも、携帯端末３ａは、階番号８３Ｃ１及び搬出日時８３Ｃ２を取得し、ＩＣタグ８の搬出情報８３Ｃに書き込む。
【００６０】
集積所Ｓにおける廃棄物の集積、分別処理（Ｓ１３０５）に際して、携帯端末３ａは、コンテナ４ａのＩＣタグ８から回収実績情報（看板属性情報８３Ｂ）を取得し、記憶部３５に記憶する（Ｓ１４１０）。このとき、携帯端末３ａは、コンテナ４ａのＩＣタグ８に記憶されている看板属性情報８３Ｂを取得した後、消去する。また、ＩＣタグ８の看板属性情報８３Ｂのうち、分別品目８３Ｂ３と、実際の内容物とを比較して、異なっている場合には、分別品目８３Ｂ３が修正された看板属性情報８３Ｂを取得する。なお、Ｓ１４０７〜Ｓ１４１０の各処理は、順番に行われるわけではなく、担当者による携帯端末３ａの操作に応じて随時実行される。  
携帯端末３ａは、担当者の手によって作業場所Ｇから物流センタＣへ移動する（Ｓ１４１１）。そして、ＰＣ２に有線接続され、回収実績情報を通信部３１経由でＰＣ２に転送する（Ｓ１４１２）。一方、ＰＣ２は、携帯端末３ａから通信部２１経由で回収実績情報を受信し、記憶部２５に記憶する（Ｓ１４１３）。
【００６１】
以上本発明の実施の形態について説明したが、ＰＣ２、携帯端末３及び３ａ、ＩＣタグ７及び８の各部を機能させるために、各処理部で実行されるプログラムをコンピュータにより読み取り可能な記録媒体に記録し、その記録したプログラムをコンピュータに読み込ませ、実行させることにより、本発明の実施の形態に係る廃棄物コンテナ管理システム１及び１ａ（廃棄物容器管理システム）が実現されるものとする。なお、プログラムをインターネット等のネットワーク経由でコンピュータに提供してもよいし、プログラムが書き込まれた半導体チップ等をコンピュータに組み込んでもよい。
【００６２】
以上説明した本発明の実施の形態によれば、ＰＣ２と、携帯端末３及び３ａとの間で各情報の送受信を行うので、データ入力ミスの防止及び作業時間の短縮を図ることができる。次に、ＩＣタグ７及び８の利用によって、コンテナ４及び４ａの移動や廃棄物の処理に関する履歴情報（容器の移動、排出者ごとの廃棄物品目及び分量：回収実績情報）を正確に記録、管理できる。これによれば、コンテナ４及び４ａの利用状況の確認や在庫管理、荷降ろしや分別処理のスケジューリング等を効率的に実施することができる。また、分別看板５の発行がＰＣ２への看板属性情報２５Ｂの登録と同時にできるので、専門工事会社にとっては速やかにコンテナ４及び４ａの利用を開始することができる。  
さらに、第２の実施の形態によれば、回収場所Ｐにおいて、廃棄物の入ったコンテナ４ａの分別看板５が不要になるので、分別看板５を空のコンテナ４ａに付け替えることによって、当該専門工事会社は、廃棄物の回収、集積、分別の処理を待つことなく、すぐに新たなコンテナ４ａを使用することができる。
【００６３】
≪その他の実施の形態≫
以上、本発明を実施するための最良の形態について説明したが、上記実施の形態は本発明の理解を容易にするためのものであり、本発明を限定して解釈するためのものではない。本発明はその趣旨を逸脱することなく変更、改良され得るとともに、本発明にはその等価物も含まれる。例えば、以下のような実施の形態が考えられる。
【００６４】
（１）上記実施の形態においては、ＰＣ２と、携帯端末３及び３ａとが物流センタＣ内で有線通信を行うように記載したが、作業場所Ｇにおける通信環境を改善することによって、物流センタＣ内のＰＣ２と、作業場所Ｇ内の携帯端末３及び３ａとが遠隔無線通信を行うようにしてもよい。
【００６５】
（２）第１の実施の形態において、分別看板５のＩＣタグ７に日付及びその日の回収、分別処理の回数等のデータを書き込むようにしてもよい。これによれば、作業場所における通信環境や端末種別に依存することなく、コンテナ４が１日に繰り返して利用される場合にも、最新状況に関する情報を複数の携帯端末３の間で共有することができる。
【００６６】
（３）第２の実施の形態において、廃棄物の容器としてコンテナ４ａを一例とし、コンテナ４ａにＩＣタグ８を貼付するようにしたが、廃棄物の容器を集積所Ｓから外部処理施設に搬送されるフレコン（フレキシブルコンテナバッグ：袋状の包材）とし、フレコンにＩＣタグ８を貼付し、廃棄物コンテナ管理システム１ａを適用してもよい。
【図面の簡単な説明】
【００６７】
【図１】第１の実施の形態に係る廃棄物コンテナ管理システム１の構成を示す図である。
【図２】ＰＣ２のハードウェア構成を示す図である。
【図３】携帯端末３のハードウェア構成を示す図である。
【図４】ＩＣタグ７のハードウェア構成を示す図である。
【図５】ＰＣ２の記憶部２５に記憶されるデータの構成を示す図であり、（ａ）は看板タグ対応情報２５Ａの構成を示し、（ｂ）は看板属性情報２５Ｂの構成を示す。
【図６】携帯端末３の記憶部３５に記憶されるデータの構成を示す図であり、（ａ）は看板タグ対応情報３５Ａの構成を示し、（ｂ）は看板属性情報３５Ｂの構成を示す。
【図７】ＩＣタグ７の記憶部７３に記憶されるデータの構成を示す図であり、（ａ）は固有情報７３Ａの構成を示し、（ｂ）は例外情報７３Ｂの構成を示す。
【図８】廃棄物コンテナ管理業務に関する図であり、（ａ）は第１の実施の形態に係る廃棄物コンテナ管理業務の流れを示し、（ｂ）は看板のリスト画面を示し、（ｃ）は看板の詳細情報画面を示す。
【図９】廃棄物コンテナ管理システム１の処理を示すフローチャートである。
【図１０】第２の実施の形態に係る廃棄物コンテナ管理システム１ａの構成を示す図である。
【図１１】ＩＣタグ８のハードウェア構成を示す図である。
【図１２】ＩＣタグ８の記憶部８３に記憶されるデータの構成を示す図であり、（ａ）は固有情報８３Ａの構成を示し、（ｂ）は看板属性情報８３Ｂの構成を示す。
【図１３】第２の実施の形態に係る廃棄物コンテナ管理業務の流れを示す図である。
【図１４】廃棄物コンテナ管理システム１ａの処理を示すフローチャートである。
【符号の説明】
【００６８】
１、１ａ  廃棄物コンテナ管理システム（廃棄物容器管理システム）
２  ＰＣ（コンピュータ）
３、３ａ  携帯端末
３５  記憶部
３５Ａ  看板タグ対応情報
３５Ｂ  看板属性情報
４、４ａ  コンテナ（容器）
５  分別看板（看板）
６  印字部
７  ＩＣタグ（看板のＩＣタグ）
７３  記憶部
７３Ａ１  タグＩＤ
７３Ｂ  例外情報
８  ＩＣタグ（容器のＩＣタグ）
８３  記憶部
８３Ａ１  タグＩＤ
８３Ｂ  例外情報
Ｃ  物流センタ
Ｇ  作業場所
Ｐ、Ｐ１、Ｐ２、…、Ｐｎ  回収場所
Ｓ  集積所
【図１】
0005282454.tif 000002
【図２】
0005282454.tif 000003
【図３】
0005282454.tif 000004
【図４】
0005282454.tif 000005
【図５】
0005282454.tif 000006
【図６】
0005282454.tif 000007
【図７】
0005282454.tif 000008
【図９】
0005282454.tif 000009
【図１０】
0005282454.tif 000010
【図１１】
0005282454.tif 000011
【図１２】
0005282454.tif 000012
【図１３】
0005282454.tif 000013
【図１４】
0005282454.tif 000014
【図８】
0005282454.tif 000015